(57)【要約】【課題】防水性能を確保しつつ、アンテナの接地導体と筐体の間を電気的に確実に接続すると共に、アンテナに外力が作用した場合であっても筐体が破損し難いようにした無線端末を提供する。【解決手段】アンテナコネクタ（１０）の接地導体（係止部１０ｂなど）が取り付けられる取付金具（１３）と、取付金具（１３）が取り付けられる金属製のシャーシ（２）と、取付金具（１３）とシャーシ（２）との間に介挿されるＯリング（１４）とを備えると共に、シャーシ（２）に、取付金具（１３）がシャーシ（２）に取り付けられたときに取付金具（１３）に接触する取付金具接触部（１５ｄ）を形成する。【選択図】図７
2008252718.tif 000002
【特許請求の範囲】
【請求項１】
無線信号の送受信を行う無線端末において、
中心導体とその外周に配置された接地導体とを有するアンテナコネクタと、
前記アンテナコネクタの接地導体が取り付けられる取付金具と、
前記取付金具が取り付けられる金属製の筐体片と、
前記取付金具と前記筐体片との間に介挿されるシール材と、
を備えると共に、前記筐体片には、前記取付金具が前記筐体片に取り付けられたときに前記取付金具に接触する取付金具接触部が形成されることを特徴とする無線端末。
【発明の詳細な説明】
【技術分野】
【０００１】
本発明は無線信号の送受信を行う無線端末に関する。
【背景技術】
【０００２】
無線端末の防水性能を確保する場合、筐体を構成する複数の筐体片（シャーシやカバー、ケース等）同士の間に弾性体からなるパッキンを介挿するのが一般的である（例えば特許文献１参照）。また、無線端末には、通常、例えば特許文献２の図３に記載されるようなアンテナが取り付けられる。
【特許文献１】特開平９−２３０７２号公報
【特許文献２】特開２０００−１８３７７９号公報
【発明の開示】
【発明が解決しようとする課題】
【０００３】
無線端末にアンテナを取り付ける場合、アンテナの接地導体を無線端末の筐体の金属部分に固定して接地させる。一方で、無線端末の防水性能を確保するには、アンテナと筐体の間にもＯリング等のシール材を介挿する必要がある。そのため、無線端末の防水性能を確保する場合、接地導体と筐体の間を電気的に接続し難いという不具合があった。
【０００４】
また、アンテナに外力が作用した場合、その衝撃はアンテナが固定されている筐体に直接伝達されるため、筐体の破損を招き易いという問題があった。
【０００５】
従って、本発明の目的は上記した課題を解決し、防水性能を確保しつつ、アンテナの接地導体と筐体の間を電気的に確実に接続すると共に、アンテナに外力が作用した場合であっても筐体が破損し難いようにした無線端末を提供することにある。
【課題を解決するための手段】
【０００６】
上記した課題を解決するため、本発明に係る無線端末にあっては、中心導体とその外周に配置された接地導体とを有するアンテナコネクタと、前記アンテナコネクタの接地導体が取り付けられる取付金具と、前記取付金具が取り付けられる金属製の筐体片と、前記取付金具と前記筐体片との間に介挿されるシール材とを備えると共に、前記筐体片には、前記取付金具が前記筐体片に取り付けられたときに前記取付金具に接触する取付金具接触部が形成されるように構成した。
【発明の効果】
【０００７】
本発明に係る無線端末にあっては、中心導体とその外周に配置された接地導体とを有するアンテナコネクタと、前記アンテナコネクタの接地導体が取り付けられる取付金具と、前記取付金具が取り付けられる金属製の筐体片と、前記取付金具と前記筐体片との間に介挿されるシール材とを備えると共に、前記筐体片には、前記取付金具が前記筐体片に取り付けられたときに前記取付金具に接触する取付金具接触部が形成されるように構成したので、防水性能を確保しつつ、アンテナの接地導体と筐体の間を電気的に確実に接続することができる。
【０００８】
また、取付金具を介してアンテナコネクタを筐体片に接続するように構成しているため、アンテナに外力が作用しても、筐体片に伝達される衝撃が取付金具によって緩和されることから、筐体を破損し難くすることができる。
【発明を実施するための最良の形態】
【０００９】
以下、本発明に係る無線端末を実施するための最良の形態について、図面を参照して説明する。
【００１０】
図１は、本発明に係る無線端末の斜視図である。図１で符号１は、無線信号の送受信を行う無線端末である。無線端末１の筐体は、金属製のシャーシ（筐体片）２と、シャーシ２の前面側に取り付けられる樹脂製の前面カバー３と、シャーシ２の上面側に取り付けられる樹脂製の上面カバー４とから構成される。また、シャーシ２には、電源供給用のバッテリ５が取り付けられる。シャーシ２に、これら前面カバー３、上面カバー４及びバッテリ５が組み付けられることにより、全体として略直方体を呈する無線端末１の本体部分が構成される。また、無線端末１の上部にはアンテナ６（図１では一部のみ示す）が取り付けられる。尚、前面カバー３には、各種インディケータやコネクタなどが配置される開口部が形成されるが、図示を省略している。
【００１１】
アンテナ６は、シャーシ２に取り付けられるアンテナコネクタ１０と、アンテナコネクタ１０に接続されるアンテナ本体１１とから構成される。尚、アンテナ６は、λ／４のモノポールアンテナである。
【００１２】
先ず、シャーシ２へのアンテナコネクタ１０の取り付けについて説明する。図２は、シャーシ２へのアンテナコネクタ１０の取付構造を表す分解斜視図である。図示の如く、アンテナコネクタ１０は、パッキン１２と、取付金具１３と、Ｏリング１４を用いてシャーシ２に取り付けられる。
【００１３】
図３は、アンテナコネクタ１０の拡大斜視図である。図３に示すように、アンテナコネクタ１０は、大略円柱状を呈し、その中心軸には中心導体１０ａが配置される。中心導体１０ａの周囲には、底面に形成された係止部１０ｂ、係止部１０ｂの上部に形成された円筒部１０ｃ、円筒部１０ｃの上部に形成されたねじ部１０ｄ、ねじ部１０ｄの上部に形成されたアンテナ本体接続部１０ｅとが形成される。これら係止部１０ｂ、円筒部１０ｃ、ねじ部１０ｄおよびアンテナ本体接続部１０ｅは金属製であり、アンテナコネクタ１０の接地導体として機能する。
【００１４】
係止部１０ｂは、その平面形状が、円周から対向する劣弧を切り取った形状とされる。即ち、係止部１０ｂは、長径方向と短径方向を有する。円筒部１０ｃは、係止部１０ｂの短径方向の長さと同じあるいは略同じ直径の円筒状を呈する。換言すれば、係止部１０ｂの一部（長径方向）は円筒部１０ｃよりも拡幅される。この拡幅された部位を拡幅部１０ｆと呼ぶ。
【００１５】
ねじ部１０ｄは、その底部が円筒部１０ｃよりも直径の大きい円形を呈すると共に、当該円筒部分の上部にねじ溝（図示せず）が形成される。このねじ溝が形成された部位は、平面形状が円周（直径は底部と同じ）から対向する劣弧を切り取った形状とされる。アンテナ本体接続部１０ｅは、ねじ部１０ｄよりも直径よりも小さい円筒状（略円筒状）に形成される。アンテナ本体接続部１０ｅには複数個の凸部１０ｆが形成され、その凸部１０ｆにアンテナ本体１１が係止される。
【００１６】
図４は、取付金具１３の拡大平面図である。図２および図４に示すように、取付金具１３は平面視略長方形の板状部材（例えばステンレス製あるいは鉄製）から形成される。取付金具１３の長手方向の両端部付近にはねじ穴１３ａが形成される。また、取付金具１３の中央部は円弧状に拡幅されると共に、孔１３ｂが形成される。孔１３ｂは、アンテナコネクタ１０の係止部１０ｂと同形状とされる。
【００１７】
図５は、シャーシ２の上面図である。シャーシ２の上面には取付金具固定部１５が形成される。図２および図５に示すように、取付金具固定部１５はシャーシ２の上面の一部が凹とされることによって形成され、その形状は取付金具１３と同形状（具体的には取付金具１３よりも僅かに大きな形状）とされる。取付金具固定部１５は、詳しくは平面視において略長方形を呈し、その長手方向の両端部付近にはねじ穴１５ａが形成される。また、取付金具固定部１５の中央部は円弧状に拡幅されると共に、孔１５ｂが形成される。
【００１８】
図６は、図５のVI−VI線拡大断面図である。図５および図６に示すように、孔１５ｂの周囲にはＯリング１４が配置されるＯリング配置部１５ｃが形成される。さらに、取付金具固定部１５の壁面には、取付金具接触部１５ｄが形成される。取付金具接触部１５ｄは、取付金具固定部１５の壁面と底面を結ぶＲ（曲面）からなる。尚、図６及び後述する図７において、説明の便宜のため取付金具接触部１５ｄを誇張して示している。実際には、取付金具接触部１５ｄはより小さなＲでよい。
【００１９】
図７は、シャーシ２にアンテナコネクタ１０を取り付けた状態を示す断面図である。図２および図７を参照してシャーシ２へのアンテナコネクタ１０の取り付けについて説明すると、先ず、シャーシ２の取付金具固定部１５に形成されたＯリング配置部１５ｃにＯリング１４を配置する。次いで、Ｏリング１４の上に取付金具１３を配置し、ねじ１６をねじ穴１３ａとねじ穴１５ａに螺合することでＯリング１４を押し潰しながら取付金具１３とシャーシ２を締結する。このとき、取付金具１３の下面縁部が取付金具固定部１５の取付金具接触部１５ｄに接触する。
【００２０】
次いで、アンテナコネクタ１０の係止部１０ｂを取付金具１３の孔１３ｂに挿通する。尚、アンテナコネクタ１０の円筒部１０ｃには、パッキン１２が取り付けられる。係止部１０ｂを孔１３ｂに挿通した状態で、パッキン１２を押し潰しつつ、アンテナコネクタ１０をその中心軸周りに９０度回転させることで、係止部１０ｂの拡幅部１０ｆが取付金具１３の下面に接触して係止される。これにより、アンテナコネクタ１０が取付金具１３に固定され、よってシャーシ２に固定される。尚、図示は省略するが、アンテナコネクタ１０の中心導体１０ａはシャーシ２に搭載された電子回路基板に接続される。
【００２１】
上述したように、取付金具１３の下面縁部は取付金具固定部１５の取付金具接触部１５ｄに接触する。また、係止部１０ｂ（拡幅部１０ｆ）は取付金具１３の下面に接触する。従って、アンテナコネクタ１０の接地導体は、金属製のシャーシ２に電気的に確実に接続される。即ち、アンテナコネクタ１０の接地導体は確実に接地される。尚、アンテナコネクタ１０と取付金具１３の間はパッキン１２で、取付金具１３とシャーシ２の間はＯリング１４で防水性能が確保される。
【００２２】
図８は、アンテナコネクタ１０へのアンテナ本体１１の取付構造を表す分解斜視図である。図示の如く、アンテナ本体１１は、プレート２０と、ナット２１と、キャップ２２とを用いてアンテナコネクタ１０に取り付けられる。プレート２０には孔２０ａが形成される。
【００２３】
図９は、上面カバー４の上面図である。図９に示すように、上面カバー４の上面には孔４ａが形成される。また、孔４ａの周囲には、プレート２０と同形状のプレート配置部４ｂが形成される。
【００２４】
図１、図８および図９を参照してアンテナコネクタ１０へのアンテナ本体１１の取り付けについて説明すると、先ず、シャーシ２に取付金具１３を取り付けた状態で、上面カバー４の側面とシャーシ２をねじ２３によって締結することで、シャーシ２に上面カバー４を取り付ける。次いで、上面カバー４の孔４ａにアンテナコネクタ１０を挿通し、アンテナコネクタ１０を取付金具１３に取り付ける。このとき、アンテナコネクタ１０のうちねじ部１０ｄの一部とアンテナ本体接続部１０ｅが孔４ａより上方に突出する。尚、アンテナコネクタ１０を取付金具１３（シャーシ２）に取り付けた後に上面カバー４をシャーシ２に取り付けてもよい。
【００２５】
次いで、プレート２０の孔２０ａにアンテナコネクタ１０を挿通させながらプレート２０を上面カバー４のプレート配置部４ｂに配置し、さらにナット２１をアンテナコネクタ１０のねじ部１０ｄに螺合させる。これにより、上面カバー４に対するアンテナコネクタ１０の位置決めがなされると共に、上面カバー４の上面がシャーシ２に固定される。
【００２６】
次いで、アンテナ本体１１をアンテナコネクタ１０（アンテナ本体接続部１０ｅ）に接続する。具体的には、アンテナ本体１１の内部に形成された凹部（図示せず）に前述したアンテナ本体接続部１０ｅの凸部１０ｆを係止させる。尚、アンテナ本体１１と上面カバー４の間にはゴム材などの弾性体からなるキャップ２２が介挿され、アンテナ６と上面カバー４の間の防水性能が確保される。
【００２７】
このように、本発明に係る無線端末１にあっては、アンテナコネクタ１０の接地導体（係止部１０ｂなど）が取り付けられる取付金具１３と、取付金具１３が取り付けられる金属製のシャーシ２と、取付金具１３とシャーシ２との間に介挿されるＯリング１４（シール材）とを備えると共に、シャーシ２（具体的にはシャーシ２に形成された取付金具固定部１５）には、取付金具１３がシャーシ２に取り付けられたときに取付金具１３に接触する取付金具接触部１５ｄが形成されるように構成したので、防水性能を確保しつつ、アンテナ６の接地導体とシャーシ２の間を電気的に確実に接続することができる。
【００２８】
また、アンテナコネクタ１０をシャーシ２に取付金具１３を介して接続するように構成しているため、アンテナ６に外力が作用しても、シャーシ２に伝達される衝撃が取付金具１３によって緩和されることから、シャーシ２を破損し難くすることができる。
【００２９】
尚、上記の実施例では取付金具接触部１５ｄを曲面（Ｒ形状）としたが、突出した平面など、他の形状であってもよい。
【図面の簡単な説明】
【００３０】
【図１】本発明に係る無線端末の斜視図である。
【図２】図１に示すシャーシへのアンテナコネクタの取付構造を表す分解斜視図である。
【図３】図２に示すアンテナコネクタの拡大斜視図である。
【図４】図２に示す取付金具の拡大平面図である。
【図５】図２に示すシャーシの上面図である。
【図６】図５のVI−VI線拡大断面図である。
【図７】図２に示すシャーシにアンテナコネクタを取り付けた状態を示す断面図である。
【図８】図１に示すアンテナコネクタへのアンテナ本体の取付構造を表す分解斜視図である。
【図９】図１に示す上面カバーの上面図である。
【符号の説明】
【００３１】
１：無線端末、２：シャーシ（筐体片）、６：アンテナ、１０：アンテナコネクタ、１０ｂ〜１０ｅ：接地導体、１１：アンテナ本体、１３：取付金具、１４：Ｏリング（シール材）、１５ｄ：取付金具接触部
【図１】
2008252718.tif 000003
【図２】
2008252718.tif 000004
【図４】
2008252718.tif 000005
【図５】
2008252718.tif 000006
【図６】
2008252718.tif 000007
【図７】
2008252718.tif 000008
【図９】
2008252718.tif 000009
【図３】
2008252718.tif 000010
【図８】
2008252718.tif 000011